(57)【特許請求の範囲】
【請求項１】
ワイヤレス通信のための装置であって、
少なくとも１つのチャネル上での送信のためのフレームを生成するように構成された処理システム、前記フレームは、
デバイスの第１および第２のタイプによって処理するための第１の情報と、前記フレームのターゲットにされた受信者であるデバイスの前記第２のタイプのみによって処理するために意図された拡張ヘッダ情報と、
データ部分、ここにおいて、前記少なくとも１つのチャネルは、前記装置に割り当てられたチャネルのセットを備え、前記データ部分は、前記チャネルのセットにわたる帯域幅上で送信される、と
を有する、と、
前記少なくとも１つのチャネルを介して送信のために前記フレームを出力するためのインターフェースと
を備え、前記フレームは、第１および第２の空間ストリームの各々のための、前記フレームの前記ターゲットにされた受信者によって処理するためのチャネル推定情報またはトレーニングフィールドのうちの少なくとも１つを備える第２の情報をさらに備え、
前記第１の空間ストリームのための前記第２の情報は、前記第２の空間ストリームのための前記第２の情報で前記第１の空間ストリームのための前記第２の情報を時間アラインするために、前記第１の空間ストリームのための前記第１の情報の終わりの送信と比較して遅延して送信のために出力される、装置。
【請求項２】
前記フレームを送信するように構成された送信機をさらに備え、前記装置は、アクセスポイントとして構成される、
請求項１に記載の装置。
【請求項３】
ワイヤレス通信のための装置であって、
少なくとも１つのチャネル上での送信のためのフレームを生成するように構成された処理システム、前記フレームは、
デバイスの第１および第２のタイプによって処理するためのヘッダ情報、チャネル推定値、またはトレーニングフィールドのうちの少なくとも１つを備える第１の情報と、前記フレームのターゲットにされた受信者であるデバイスの前記第２のタイプのみによって処理するために意図された拡張ヘッダ情報とを備える、と、
データ部分と
を有する、と、
前記少なくとも１つのチャネルを介して送信のために前記フレームを出力するためのインターフェースと
を備え、前記少なくとも１つのチャネルは、前記装置に割り当てられたチャネルのセットを備え、
前記チャネルのセットは、少なくとも第１および第２の連続するチャネルを備え、
前記第１の情報は、前記第１および第２の連続するチャネルの各々において繰り返され、
前記フレームは、前記フレームの前記ターゲットにされた受信者によって処理するためのトレーニングフィールドまたはチャネル推定情報のうちの少なくとも１つを備える第２の情報を備え、前記第２の情報は、前記少なくとも第１および第２の連続するチャネルにわたる帯域幅上での送信のために出力され、
前記第１および第２の連続するチャネルは、少なくとも第１および第２の空間ストリームを送信するためのものであり、
前記第１の情報は、前記第１および第２の連続するチャネルの各々において繰り返された前記第１の空間ストリームのための第１の情報と、前記第１および第２の連続するチャネルの各々において繰り返された前記第２の空間ストリームのための第１の情報とを備え、
前記第２の空間ストリームのための前記第１の情報は、前記第１の空間ストリームのための前記第１の情報の送信と比較して遅延して送信のために出力される、
装置。
【請求項４】
前記第１の空間ストリームのための前記第２の情報は、前記第２の空間ストリームのための前記第２の情報を有する前記第１の空間ストリームのための前記第２の情報を時間アラインするために、前記第１の空間ストリームのための前記第１の情報の終わりの送信と比較して遅延して送信のために出力される、
請求項３に記載の装置。
【請求項５】
前記フレームを送信するように構成された送信機をさらに備え、前記装置は、アクセスポイントとして構成される、
請求項３に記載の装置。
【請求項６】
ワイヤレス通信のための装置であって、
少なくとも１つのチャネル上で送信されたフレームを取得するためのインターフェース、前記フレームは、
デバイスの第１および第２のタイプのデバイスによって処理するための第１の情報と、前記フレームのターゲットにされた受信者であるデバイスの前記第２のタイプのみによって処理することを拡張ヘッダ情報と、
データ部分、前記少なくとも１つのチャネルは、前記装置に割り当てられたチャネルのセットを備え、前記データ部分は、前記チャネルのセットにわたる帯域幅上で受信される、と
を有する、と、
前記第１の情報を処理することと、前記拡張ヘッダ情報に基づいて前記フレームの前記データ部分のうちの少なくともいくつかを復号することとを行うように構成された処理システムと
を備え、前記少なくとも１つのチャネルは、少なくとも第１および第２の空間ストリームを送信するための少なくとも単一チャネルを備え、
前記第１の情報は、同じ単一チャネル上で送信された前記第１の空間ストリームのための第１の情報と、前記第２の空間ストリームのための第１の情報とを備え、
前記装置による前記第２の空間ストリームのための前記第１の情報の受信者は、前記第１の空間ストリームのための前記第１の情報の送信と比較して遅延される、装置。
【請求項７】
前記フレームを受信するように構成された受信機をさらに備え、前記装置は、ワイヤレス局として構成される、
請求項６に記載の装置。
【請求項８】
ワイヤレス通信のための装置であって、
少なくとも１つのチャネル上で送信されたフレームを取得するためのインターフェース、前記フレームは、
デバイスの第１および第２のタイプのデバイスによって処理するための第１の情報と、前記フレームのターゲットにされた受信者であるデバイスの前記第２のタイプのみによって処理することを拡張ヘッダ情報と、
データ部分と
を有する、と、
前記第１の情報を処理することと、前記拡張ヘッダ情報に基づいて前記フレームの前記データ部分のうちの少なくともいくつかを復号することとを行うように構成された処理システムと
を備え、前記少なくとも１つのチャネルは、前記装置に割り当てられたチャネルのセットを備え、
前記チャネルのセットは、少なくとも第１および第２の連続するチャネルを備え、
前記第１の情報は、前記第１および第２の連続するチャネルの各々において繰り返され、
前記フレームは、前記フレームの前記ターゲットにされた受信者によって処理するためのチャネル推定情報またはトレーニングフィールドのうちの少なくとも１つを備える第２の情報をさらに備え、前記第２の情報は、前記少なくとも第１および第２の連続するチャネルにわたる帯域幅上で受信され、
前記第１および第２の連続するチャネルは、少なくとも第１および第２の空間ストリームを取得するためのものであり、
前記第１の情報は、前記第１および第２の連続するチャネルの各々において繰り返される前記第１の空間ストリームのための第１の情報と、前記第１および第２の連続するチャネルの各々において繰り返される前記第２の空間ストリームのための第１の情報とを備え、
前記装置による前記第２の空間ストリームのための前記第１の情報の受信は、前記第１の空間ストリームのための前記第１の情報の送信と比較して遅延される、
装置。
【請求項９】
前記フレームを受信するように構成された受信機をさらに備え、前記装置は、ワイヤレス局として構成される、
請求項８に記載の装置。
【発明の詳細な説明】
【関連出願の相互参照】
【０００１】
[0001]本出願は、本出願の譲受人に譲渡され、参照により本明細書に明確に組み込まれる、２０１４年１２月９日に出願された、米国仮特許出願第６２／０８９，８１５号の利益を主張する、米国特許出願第１４／９６２，９７７号の優先権を主張する。
【技術分野】
【０００２】
[0002]本開示のいくつかの態様は、一般にワイヤレス通信に関し、より詳細には、チャネルボンディングおよび多入力多出力（ＭＩＭＯ）のような技法を使用する送信のためのフレームフォーマットに関する。
【背景技術】
【０００３】
[0003]無線通信システムのために求められる帯域幅の必要性が増しているという課題に対処するために、複数のユーザ端末に、チャネルリソースの共有によって単一のアクセスポイントと通信することを可能にさせると同時に、高いデータスループットを達成する、異なるスキームが開発されている。多入力多出力（ＭＩＭＯ）技法は、次世代通信システムのためのポピュラーな技法として近年出現してきた、このようなアプローチの１つに相当する。ＭＩＭＯ技法は、米国電気電子学会（ＩＥＥＥ）８０２．１１規格のような、台頭しつつあるいくつかの無線通信規格に採用されてきた。ＩＥＥＥ８０２．１１は、ＩＥＥＥ８０２．１１委員会により（たとえば、数十メートルから数百メートルの）短距離通信用に開発された、ワイヤレスローカルエリアネットワーク（ＷＬＡＮ）のエアインターフェース規格のセットを表す。
【０００４】
[0004]ＭＩＭＯシステムは、データ伝送のために、複数（ＮT）個の送信アンテナ、および複数（ＮR）個の受信アンテナを用いる。ＮT個の送信アンテナおよびＮR個の受信アンテナによって形成されたＭＩＭＯチャネルは、空間チャネルとも呼ばれるＮS個の独立チャネルに分解されることができる。ＮS個の独立したチャネルの各々は、次元に対応する。多数の送信アンテナと受信アンテナとによって生成された追加の次元が利用される場合、ＭＩＭＯシステムは、改善された性能（例えば、より高いスループットおよび／またはより大きな信頼性）を提供することができる。
【０００５】
[0005]単一のアクセスポイント（ＡＰ）と複数のユーザ局（ＳＴＡ）とを有するワイヤレスネットワークでは、アップリンク方向とダウンリンク方向との両方で、異なる局に対し、複数のチャネル上で、並行して送信が行われ得る。そのようなシステムには多くの課題が存在する。
【発明の概要】
【０００６】
[0006]本開示のある特定の態様は、ワイヤレス通信のための装置を提供する。装置は、概して、複数のチャネル上での送信のためのフレームを生成するように構成された処理システム、フレームは、第１および第２のタイプのデバイスによって処理するためのおよび復号可能なヘッダ情報、チャネル推定値、またはプリアンブルのうちの少なくとも１つを備える第１の情報、第１の情報は、フレームの送信の間に複数のチャネルの各々において繰り返される、と、第１および第２のタイプのデバイスによって処理するためのおよび復号可能なヘッダ情報、チャネル推定、またはプリアンブルのうちの少なくとも１つを備える第２の情報、第２の情報は、フレームの送信の間にチャネルの間のギャップを占有する、と、複数のチャネルとギャップにわたる部分とを有する、と、送信のためのフレームを出力するためのインターフェースとを含む。
【０００７】
[0007]本開示のある特定の態様は、ワイヤレス通信のための装置を提供する。装置は、概して、第１および第２のタイプのデバイスによって処理するためのおよび復号可能なヘッダ情報、チャネル推定値、またはプリアンブルのうちの少なくとも１つを備える第１の情報、第１の情報は、フレームの送信の間に複数のチャネルの各々において繰り返される、と、第１および第２のタイプのデバイスによって処理するためのおよび復号可能なヘッダ情報、チャネル推定、またはプリアンブルのうちの少なくとも１つを備える第２の情報、第２の情報は、チャネルの間のギャップを占有する、と、複数のチャネルとギャップにわたる部分とを有するフレームを取得するためのインターフェースと、第１の情報を処理することと、第２の情報に、少なくとも部分的に、基づいてチャネル推定を生成することと、チャネル推定に基づいてフレームの一部のうちの少なくともいくつかを復号することとを行うように構成された処理システムとを含む。
【０００８】
[0008]本開示のある特定の態様は、ワイヤレス通信のために装置を提供する。装置は、概して、少なくとも１つのチャネル上での送信のためのフレームを生成するように構成された処理システム、フレームは、他の装置によって検出可能な少なくとも１つのトレーニングフィールドを含む第１の情報、第１の情報は、１つまたは複数のサブチャネルのセット上で送信されることになり、各サブチャネルは、少なくとも１つのチャネルのフル帯域幅（full bandwidth）の断片的な部分（fractional portion）を備える、と、チャネル推定値またはヘッダ情報のうちの少なくとも１つを備える第２の情報、第２の情報は、少なくとも１つのチャネルのフル帯域幅を使用して送信されることになる、と、少なくとも１つのチャネルのフル帯域幅を使用して送信されることになるデータ部分とを有する、と、送信のためのフレームを出力するためのインターフェースとを含む。
【０００９】
[0009]本開示のある特定の態様は、ワイヤレス通信のための装置を提供する。装置は、概して、他の装置によって検出可能な少なくとも１つのトレーニングフィールドを備える第１の情報、第１の情報は、１つまたは複数のサブチャネルのセット上で送信されることになり、各サブチャネルは、少なくとも１つのチャネルのフル帯域幅の断片的な部分を備える、と、チャネル推定値またはヘッダ情報のうちの少なくとも１つを備える第２の情報、第２の情報は、少なくとも１つのチャネルのフル帯域幅を使用して送信されることになる、と、少なくとも１つのチャネルのフル帯域幅を使用して送信されることになるデータ部分とを備えるフレームを取得するためのインターフェースと、第１の情報を処理することと、第２の情報に少なくとも部分的に基づいてチャネル推定を生成することと、チャネル推定値に基づいてフレームのデータ部分のうちのすくなくともいくつかを復号することとを行うように構成された処理システムとを含む。
【００１０】
[0010]本開示の特定の態様は、ワイヤレス通信のための装置を提供する。装置は、概して、少なくとも１つのチャネル上で送信するためのフレームを生成するように構成された処理システム、フレームは、第１および第２のタイプのデバイスによって処理するためのヘッダ情報、チャネル推定値、またはトレーニングフィールドのうちの少なくとも１つを備える第１の情報と、フレームのターゲットにされた受信者であるデバイスの第２のタイプのみによって処理することを意図された拡張ヘッダ情報と、少なくとも１つのチャネル上で送信されることになるデータ部分とを有する、と、送信のためのフレームを出力するためのインターフェースとを含む。
【００１１】
[0011]本開示の特定の態様は、ワイヤレス通信のための装置を提供する。装置は、概して、少なくとも１つのチャネル上で送信されるフレームを取得するためのインターフェース、フレームは、第１および第２のタイプのデバイスによって処理するためのヘッダ情報、チャネル推定値、またはトレーニングフィールドのうちの少なくとも１つを備える第１の情報と、フレームのターゲットにされた受信者である第２のタイプのデバイスのみによって処理することを意図された拡張ヘッダ情報と、少なくとも１つのチャネル上で送信されることになるデータ部分とを有する、と、第１の情報を処理することと、拡張ヘッダ情報に基づいてフレームのデータ部分の少なくともいくつかを復号することとを行うように構成された処理システムとを含む。
【００１２】
[0012]本開示の態様はまた、上述の装置および動作に対応する様々な方法、手段、およびコンピュータプログラム製品を提供する。
【図面の簡単な説明】
【００１３】
[0013]本開示の上述の特徴が詳細に理解され得るように、添付の図面にその一部を示す態様を参照することによって、上記で手短に要約されたより具体的な説明が得られ得る。しかしながら、その説明は他の等しく有効な態様に通じ得るので、添付の図面は、本開示のいくつかの典型的な態様のみを示し、したがって、本開示の範囲を限定するものと見なされるべきではないことに留意されたい。
【図１】本開示のいくつかの態様による、例示的なワイヤレス通信ネットワークの図。
【図２】本開示のいくつかの態様による、例示的なアクセスポイントおよび例示的なユーザ端末のブロック図。
【図３】本開示のいくつかの態様による、例示的なミックスモードのプリアンブルを示す図。
【図４】本開示のいくつかの態様による、チャネルギャップ中に送信されるプリアンブル情報を持つパケットを生成するための例示的な動作のフローチャート。
【図４Ａ】図４において示される動作を実行することが可能な例示的な手段を示す図。
【図５】本開示のいくつかの態様による、チャネルギャップ中に送信されるプリアンブルを持つパケットを処理するための例示的な動作のフローチャート。
【図５Ａ】図５において示される動作を実行することが可能な例示的な手段を示す図。
【図６】本開示のいくつかの態様による、例示的なフレームフォーマットを示す図。
【図７】本開示のいくつかの態様による、例示的なフレームフォーマットを示す図。
【図８】本開示のいくつかの態様による、パケットを生成するための例示的な動作のフローチャート。
【図８Ａ】図８において示される動作を実行することが可能な例示的な手段を示す図。
【図９】本開示のいくつかの態様による、パケットを処理するための例示的な動作のフローチャート。
【図９Ａ】図９において示される動作を実行することが可能な例示的な手段を示す図。
【図１０】本開示のいくつかの態様による、例示的なフレームフォーマットを示す図。
【図１１】本開示のいくつかの態様による、例示的なフレームフォーマットを示す図。
【図１２】本開示のいくつかの態様による、例示的なフレームフォーマットを示す図。
【図１３】本開示のいくつかの態様による、パケットを生成するための例示的な動作のフローチャート。
【図１３Ａ】図１３において示される動作を実行することが可能な例示的な手段を示す図。
【図１４】本開示のいくつかの態様による、パケットを処理するための例示的な動作のフローチャート。
【図１４Ａ】図１４において示される動作を実行することが可能な例示的な手段を示す図。
【図１５】本開示のいくつかの態様による、例示的なフレームフォーマットを示す図。
【図１６】本開示のいくつかの態様による、例示的なフレームフォーマットを示す図。
【図１７】本開示のいくつかの態様による、例示的なフレームフォーマットを示す図。
【図１８】本開示のいくつかの態様による、例示的なフレームフォーマットを示す図。
【発明を実施するための形態】
【００１４】
[0032]本開示の態様は、複数のチャネルの各々におけるレガシ復号可能なプリアンブル情報（legacy-decodable preamble information）を送信することによってレガシデバイスを含むシステムにおけるレイテンシを低減するため、および複数のチャネル間のギャップ中の複数のチャネル送信のチャネルすいてのためのプリアンブル情報を送信するための技法を提供する。
【００１５】
[0033]添付の図面を参照しながら本開示の様々な態様について以下でより十分に説明する。しかしながら、本開示は、多くの異なる形態で実施され得、本開示全体にわたって提示する任意の特定の構造または機能に限定されるものと解釈されるべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせられるにせよ、本明細書で開示する本開示のいかなる態様をもカバーするものであることを、当業者は諒解されたい。たとえば、本明細書に記載する態様をいくつ使用しても、装置は実装され得、または方法は実施され得る。さらに、本開示の範囲は、本明細書に記載する本開示の様々な態様に加えてまたはそれらの態様以外に、他の構造、機能、または構造および機能を使用して実施されるそのような装置または方法をカバーするものとする。本明細書で開示する本開示のいずれの態様も、請求項の１つまたは複数の要素によって実施され得ることを理解されたい。
【００１６】
[0034]「例示的」という単語は、本明細書では、「例、事例、または例示の働きをすること」を意味するために使用する。「例示的」として本明細書で説明するいかなる態様も、必ずしも他の態様よりも好適または有利であると解釈されるべきであるとは限らない。
【００１７】
[0035]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。  
例示的なワイヤレス通信システム
【００１８】
[0036]本明細書で説明する技法は、直交多重化方式に基づく通信システムを含む、様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭでは時間領域で送られる。
【００１９】
[0037]本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００２０】
[0038]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２１】
[0039]アクセス端末（「ＡＴ」）は、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽もしくはビデオデバイス、または衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２２】
[0040]図１に、アクセスポイントとユーザ端末とをもつ多元接続多入力多出力（ＭＩＭＯ）システム１００を示す。簡単のために、ただ１つのアクセスポイント１１０が図１に示されている。アクセスポイントは、概して、ユーザ端末と通信する固定局であり、基地局または何らかの他の用語で呼ばれることもある。ユーザ端末は、固定または移動であり得、移動局、ワイヤレスデバイス、または何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０が、アクセスポイントに結合し、アクセスポイントのための協調および制御を行う。
【００２３】
[0041]以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含み得る。したがって、そのような態様では、アクセスポイント（ＡＰ）１１０は、ＳＤＭＡユーザ端末と非ＳＤＭＡユーザ端末の両方と通信するように構成され得る。このアプローチは、より新しいＳＤＭＡユーザ端末が適宜に導入されることを可能にしながら、より古いバージョンのユーザ端末（「レガシ」局）が企業に配備されたままであることを都合よく可能にして、それらの有効寿命を延長し得る。
【００２４】
[0042]システム１００は、ダウンリンクおよびアップリンク上でのデータ送信のために複数の送信アンテナと複数の受信アンテナとを採用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力をまとめて表し、アップリンク送信では多入力をまとめて表す。純粋なＳＤＭＡの場合、Ｋ個のユーザ端末のためのデータシンボルストリームが、何らかの手段によって、コード、周波数または時間において多重化されない場合、Ｎap≧Ｋ≧１が成り立つことが望まれる。データシンボルストリームが、ＴＤＭＡ技法、ＣＤＭＡを用いた異なるコードチャネル、ＯＦＤＭを用いたサブバンドの独立セットなどを使用して多重化され得る場合、ＫはＮapよりも大きくなり得る。各選択されたユーザ端末は、ユーザ固有データをアクセスポイントに送信し、および／またはアクセスポイントからユーザ固有データを受信する。概して、各選択されたユーザ端末は、１つまたは複数のアンテナを装備し得る（すなわち、Ｎut≧１）。Ｋ個の選択されたユーザ端末は同じまたは異なる数のアンテナを有することができる。
【００２５】
[0043]システム１００は、時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、送信のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。システム１００はまた、送信／受信を異なるタイムスロットに分割することによって、ユーザ端末１２０が同じ周波数チャネルを共有する場合、ＴＤＭＡシステムであり得、各タイムスロットは異なるユーザ端末１２０に割り当てられる。
【００２６】
[0044]図２に、ＭＩＭＯシステム１００におけるアクセスポイント１１０と２つのユーザ端末１２０ｍおよび１２０ｘとのブロック図を示す。アクセスポイント１１０はＮap個のアンテナ２２４ａ〜２２４ｔを装備する。ユーザ端末１２０ｍはＮut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上の同時送信のために選択され、Ｎdn個のユーザ端末がダウンリンク上の同時送信のために選択され、ＮupはＮdnに等しいことも等しくないこともあり、ＮupおよびＮdnは、静的値であり得るか、またはスケジューリング間隔ごとに変化することがある。ビームステアリングまたは何らかの他の空間処理技法がアクセスポイントおよびユーザ端末において使用され得る。
【００２７】
[0045]アップリンク上で、アップリンク送信のために選択された各ユーザ端末１２０において、ＴＸデータプロセッサ２８８は、データソース２８６からトラフィックデータを受信し、コントローラ２８０から制御データを受信する。ＴＸデータプロセッサ２８８は、ユーザ端末のために選択されたレートに関連するコーディングおよび変調方式に基づいてユーザ端末のためのトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を生成するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信のためのＮut,m個のアップリンク信号を与える。
【００２８】
[0046]アップリンク上での同時送信のためにＮup個のユーザ端末がスケジュールされ得る。これらのユーザ端末の各々は、それのデータシンボルストリームに対して空間処理を実行し、アップリンク上で送信シンボルストリームのそれのセットをアクセスポイントに送信する。
【００２９】
[0047]アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実行された処理を補足する処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎup個の復元されたアップリンクデータシンボルストリームを与える。受信機空間処理は、チャネル相関行列反転（ＣＣＭＩ：channel correlation matrix inversion）、最小平均２乗誤差（ＭＭＳＥ：minimum mean square error）、ソフト干渉消去（ＳＩＣ：soft interference cancellation）、または何らかの他の技法に従って実行される。各復元されたアップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元されたアップリンクデータシンボルストリームを処理（たとえば、復調、デインターリーブ、および復号）する。各ユーザ端末の復号データは、記憶のためにデータシンク２４４に与えられ、および／またはさらなる処理のためにコントローラ２３０に与えられ得る。
【００３０】
[0048]ダウンリンク上で、アクセスポイント１１０において、ＴＸデータプロセッサ２１０が、ダウンリンク送信のためにスケジュールされたＮdn個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送られ得る。ＴＸデータプロセッサ２１０は、各ユーザ端末のために選択されたレートに基づいてそのユーザ端末のためのトラフィックデータを処理（たとえば、符号化、インターリーブ、および変調）する。ＴＸデータプロセッサ２１０はＮdn個のダウンリンクデータシンボルストリームをＮdn個のユーザ端末に与える。ＴＸ空間プロセッサ２２０は、Ｎdn個のダウンリンクデータシンボルストリームに対して（本開示で説明するプリコーディングまたはビームフォーミングなどの）空間処理を実行し、Ｎap個の送信シンボルストリームをＮap個のアンテナに与える。各送信機ユニット２２２は、ダウンリンク信号を生成するために、それぞれの送信シンボルストリームを受信し、処理する。Ｎap個のアンテナ２２４からユーザ端末への送信のためのＮap個のダウンリンク信号を与えるＮap個の送信機ユニット２２２。
【００３１】
[0049]各ユーザ端末１２０において、Ｎut,m個のアンテナ２５２はアクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元されたダウンリンクデータシンボルストリームをユーザ端末に与える。受信機空間処理は、ＣＣＭＩ、ＭＭＳＥまたは何らかの他の技法に従って実行される。ＲＸデータプロセッサ２７０は、ユーザ端末のための復号データを取得するために、復元されたダウンリンクデータシンボルストリームを処理（たとえば、復調、デインターリーブ、および復号）する。
【００３２】
[0050]各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、チャネル推定器２２８は、アップリンクチャネル応答を推定し、アップリンクチャネル推定値を与える。各ユーザ端末のためのコントローラ２８０は、一般に、そのユーザ端末のためのダウンリンクチャネル応答行列Ｈdn,mに基づいてユーザ端末のための空間フィルタ行列を導出する。コントローラ２３０は、有効アップリンクチャネル応答行列Ｈup,effに基づいてアクセスポイントのための空間フィルタ行列を導出する。各ユーザ端末のためのコントローラ２８０は、フィードバック情報（たとえば、ダウンリンクおよび／またはアップリンク固有ベクトル、固有値、ＳＮＲ推定値など）をアクセスポイントに送り得る。コントローラ２３０およびコントローラ２８０はまた、それぞれ、アクセスポイント１１０およびユーザ端末１２０における様々な処理ユニットの動作を制御する。
【００３３】
[0051]図１および２において示されるように、１つまたは複数のユーザ端末１２０は、例えば、ＵＬ−ＭＩＭＯ送信の一部としてアクセスポイント１１０に、（例えば、図３Ａ−図４に示される例示のフォーマットのうちの１つに従って）本明細書で説明されるようなプリアンブルフォーマットを持つ、１つまたは複数の高性能ＷＬＡＮ（ＨＥＷ：High Efficiency WLAN）パケット１５０を送り得る。各ＨＥＷパケット１５０は、（例えば、４つまでの）１つまたは複数の空間ストリームのセット上で送信され得る。ある態様に関して、ＨＥＷパケット１５０のプリアンブル部分は、（例えば、図１０−図１３、図１５、および図１６に示されるような例示のインプリメンテーションのうちの１つにより）トーンインターリーブＬＴＦ、サブバンドベースＬＴＦ、またはハイブリッドＬＴＦを含み得る。
【００３４】
[0052]ＨＥＷパケット１５０は、ユーザ端末１２０でパケット生成ユニット２８７によって生成され得る。パケット生成ユニット２８７は、ＴＸデータプロセッサ、コントローラ２８０、および／またはデータソース２８８のような、ユーザ端末１２０の処理システムにおいてインプリメントされ得る。
【００３５】
[0053]ＵＬ送信の後、ＨＥＷパケット１５０は、アクセスポイント１１０でパケット処理ユニット２４３によって処理され（例えば、復号され、解釈され）得る。パケット処理ユニット２４３は、ＲＸ空間プロセッサ２４０、ＲＸデータプロセッサ２４２、ＲＸデータプロセッサ２４２、または制御器２３０のような、アクセスポイント１１０の処理システムにおいてインプリメントされ得る。パケット処理ユニット２４３は、パケットタイプ（例えば、受信パケットにＩＥＥＥ ８０２．１１規格に対してどの修正が適合するのか）に基づいて、受信パケットを異なって処理し得る。例えば、パケット処理ユニット２４３は、ＩＥＥＥ ８０２．１１  ＨＥＷ規格に基づいてＨＥＷパケット１５０を処理するが、異なる方法において、レガシパケット（例えば、ＩＥＥＥ ８０２．１１ａ／ｂ／ｇに適合するパケット）を、それと共に関連する規格修正に従って、解釈し得る。  
低レイテンシーチャネルボンディングのための例示のフレームフォーマット
【００３６】
[0054]本開示の態様は、マルチチャネルの各々におけるレガシ復号可能プリアンプル情報を送信することによってシステムデバイスにおけるレイテンシを低減することと、マルチチャネル間のギャップ中にマルチチャネル送信のチャネル推定のためのプリアンブル情報を送信することとを行うための技法を提供し得る。
【００３７】
[0055]例えば、（単一帯域においてのみ通信する能力のある）レガシデバイスを持つシステムにおいて、マルチチャネル（例えば、ダブル／トリプル／クアドラプル８０２．１１帯域）において送信するときに使用される技法は、マルチチャネル送信パケットに関して通知される必要があり、そのため、それらは、それが単一帯域において作動している場合でさえもそれらそれぞれのＮＡＶを更新することができる。
【００３８】
[0056]（例えば、８０２．１１ｎおよび８０２．１１ａｃおよび８０２．１１ａｘのＳＴＡのための）１つのアプローチは、マルチチャネルを重複するすべての単一チャネルにおいて、プリアンブル情報（例えば、マルチチャネルデータより前に送られるプリアンブル／ＣＥＳ／データ、マルチ―チャネルデータ）を送ることである。いくつかの推定値がダブルチャネル動作を可能にするために要求されるので、ＳＴＡは、（それぞれ８０２．１１ｎおよび８０２．１１ａｃにおいてＨＴ−ＳＴＦおよびＶＨＴ−ＳＴＦおよびＨＴ−ＬＴＦおよびＶＨＴ−ＬＴＦとして知られている）ダブルチャネルを使用して追加のプリアンブル＼ＣＥＳ＼ヘッダを送っている。
【００３９】
[0057]そのようなフォーマットの例示は、図３において示される。このフォーマットが局に（ＨＴ／ＶＨＴフィールドを介して）ダブルチャネル推定および（レガシ部分を介して）単一チャネル保護を達成することを可能にする一方、それはまた、レイテンシを著しく増加させる。
【００４０】
[0058]しかしながら、本開示の態様は、チャネル間のギャップ中にマルチチャネルための追加のプリアンブルおよびチャネル推定を送ることによって、（例えば、８０２．１１ａｄのような、アドバンスド規格または次世代の規格、あるいは他の規格のための）ワイヤレス送信上でチャネルを２倍にするための技法を提供する。このアプローチは、多数のチャネル局に、すべてのマルチチャネル推定のために（実質的に）同じ時間間隔を使用することを可能にする一方、レガシ単一帯域受信機が、（ヘッダ感度がとても低い、〜５ｄＢので）任意の有意な劣化することを無しに受信することをなお可能にし得る。したがって、本明細書に表わされた技法は、図３に関して上述された追加のレイテンシのうちのすくなくともいくつかを除いて回避するのを支援し得る。
【００４１】
[0059]図４は、本開示の特定の態様によって、フレームを生成するための例示の動作４００のフローチャートである。動作４００は、ＡＰ（例えばアクセスポイント１１０）のような装置によって実行され得る。
【００４２】
[0060]動作４００は、４０２において、複数のチャネル上の送信のためのフレーム、フレームは、デバイスの第１および第２のタイプによって復号可能であり、且つ処理するためのヘッダ情報、チャネル推定値、またはプリアンブルのうちの少なくとも１つを備える第１の情報、第１の情報は、フレームの送信の間の複数のチャネルの各々において繰り返される、と、デバイスの第２のタイプによって復号可能であり、且つ処理するためのヘッダ情報、チャネル推定値、またはプリアンブルのうちの少なくとも１つを備える第２の情報、第２の情報は、フレームの送信の間のチャネル間のギャップを占める、とを有する、と、複数のチャネルとギャップとにわたる部分とを生成することによって開始する。４０４において、フレームは、送信のために出力される。
【００４３】
[0061]図５は、本開示のある態様による、１つまたは複数のパケットを処理するための例示の動作５００のフローチャートである。動作５００は、ＳＴＡ（例えば、ユーザ端末１２０）のような装置によって実行され、図４の動作４００に対して相補的であると見なされ得る。
【００４４】
[0062]動作５００は、５０２において、ワイヤレスデバイスの第１および第２のタイプによって復号可能であり、処理するためのヘッダ情報、チャネル推定値、プリアンブルのうちの少なくとも１つを備える第１の情報、第１の情報は、複数のチャネルの各々において繰り返される、と、デバイスの第２のタイプによって復号可能であり、処理するためのヘッダ情報、チャネル推定値、プリアンブルのうちの少なくとも１つを備える第２の情報、ここにおいて、第２の情報は、チャネルの間のギャップを占有する、と、複数のチャネルとギャップにわたる部分とを有するフレームを取得することによって開始する。５０４において、局は、第１の情報を処理し、第２の情報に、少なくとも部分的に、基づいてチャネル推定値を生成する。５０６において、局は、チャネル推定値に基づいてフレームの残りの部分のうちの少なくともいくつかを復号する。
【００４５】
[0063]図６、図７、図１０−図１２、および図１５−図１８各々は、本開示の態様による、様々なフレームプリアンブルフォーマットを示す。データフレームの場合には、（図３に示されるような）データ／ペイロード（ＤＡＴＡ／Ｐａｙｌｏａｄ）フィールド、およびある場合には、（例えば、８０２．１１ａｄにあるような）オプションとしてのＡＧＣ＆ＴＲＮフィールドがプリアンブルの後に続く。しかしながら、本明細書に説明されたプリアンブルフォーマットはまた、（例えば、単一シグナリングのために使用される）非データフレームにおいて使用され得る。
【００４６】
[0064]図６は、レガシショートトレーニングフィールド（Ｌ−ＳＴＦ）、レガシチャネル推定フィールド（Ｌ−ＣＥＦ）、およびレガシヘッダ（Ｌ−ヘッダ）フィールドのような（レガシタイプのデバイスによって認識可能な）レガシフィールドを含み得る例示のレガシフレームフォーマット６００を説明する。説明されるように、これらのレガシフィールドは、多数のチャネルにわたって繰り返され得る。例えば、６１０および６２０において示されるように、レガシフォーマットは、ダブルまたはトリプルチャネルにわたって繰り返され得る。説明されるように、いずれの場合も、追加ヘッダおよびプリアンブル情報は、後続のマルチチャネルデータ（図示せず）のチャネル推定を可能にするために、エンハンスド指向性マルチギガビット（ＥＤＭＧ）ヘッダにおいて、レガシプリアンブルの後に送られ得る。（非レガシ）ショートトレーニングフィールド（ＳＴＦ）および／または（非レガシ）チャネル推定フィールド（ＣＥＦ）がレガシプリアンブルの後に続き得る。
【００４７】
[0065]しかしながら、レガシプリアンブルの後にこの追加情報を含むよりむしろ、追加情報は、マルチチャネル間のギャップを使用して、前の、ギャップフィラー（ＧＦｓ：gap-fillers）中に含まれ得る。例えば、７１０および７２０において示されるように、追加情報は、ダブルチャネル間の単一ギャップまたはトリプルチャネル間の２つのギャップ中に含まれ得る。概して、ｎ個のチャネル上の送信に対して、追加情報は、ｎ−１個のギャップ中で送信されることができる。
【００４８】
[0066]説明されるように、１．７６ＧＨｚチャネルを仮定すると、追加情報は、０．４４ＧＨｚギャップ（例えば、およそチャネルの各々のサイズのおよそ１／４）中で送信され得る。説明されるように、ギャップフィラー中の追加情報は、ショートトレーニングフィールド（ＳＴＦ−ＧＦ）および／またはチャネル推定（ＣＥ−ＧＦ）フィールドを含み得る。示されるように、フレームはまた、第１のプリアンブル情報と同じチャネルを占め、デバイスの第２のタイプによって復号可能な、後続のヘッダ情報（ＨＥＡＤＥＲ−ＧＦ）を含み得る。
【００４９】
[0067]説明されるように、残りの部分は、複数のチャネルにわたるショートトレーニングフィールド（ＳＴＦ）、および複数のチャネルにわたるチャネル推定（ＣＥ）のための情報を持つフィールドのうちの少なくとも１つを備える。受信局は、複数のチャネルにわたるＳＴＦおよびＣＥフィールドに、少なくとも部分的に、基づいて、フレームの残りの部分のうちのデータ部分を復号し得る。  
ＭＩＭＯおよび／またはチャネルボンディングのための例示のフレームフォーマット
【００５０】
[0068]本開示の特定の態様は、デバイスの特定のタイプによってのみ復号可能な特定のプリアンブル情報を持つフレームを生成し処理するための技法を提供する。いわゆる「グリーンフィールド（Green-Field）」プリアンブルは、例えば、デバイスの他のタイプ（例えば、レガシデバイス）が存在せず、従って、適合させる必要がないと仮定した場合のシナリオにおいて使用され得る。そのようなプリアンブルは、２つ以上の空間ストリームを伴うＭＩＭＯ送信で使用されるのと同様に、２つ以上のチャネルを伴うチャネルボンディングで使用され得る。
【００５１】
[0069]図８は、本開示のある態様による、フレームを生成するための例示の動作８００のフローチャートである。動作８００は、ＡＰ（例えば、アクセスポイント１１０）のような、装置によって実行され得る。
【００５２】
[0070]動作８００は、８０２において、少なくとも１つのチャネル上での送信のためのフレームを生成することによって開始し、フレームは、他の装置によって検出可能な少なくとも１つのトレーニングフィールドを備える第１の情報、第１の情報は、１つまたは複数のサブチャネルのセット上で送信され、各サブチャネルは、少なくとも１つのチャネルのフル帯域幅の断片的な部分を備える、と、チャネル推定値、またはヘッダ情報のうちの少なくとも１つを備える第２の情報、第２の情報は、少なくとも１つのチャネルのフル帯域幅を使用して送信される、と、少なくとも１つのチャネルのフル帯域幅を使用して送信されるデータ部分とを有する。８０４において、フレームは、送信のために出力される。
【００５３】
[0071]図９は、本開示の特定の態様による、１つまたは複数のパケットを処理するための例示の動作９００のフローチャートである。動作９００は、ＳＴＡ（例えば、ユーザ端末１２０）のような装置によって実行され、図８の動作８００に対して相補的であると見なされ得る。
【００５４】
[0072]動作９００は、９０２において、他の装置によって検出可能な少なくとも１つのトレーニングフィールドを備える第１の情報、第１の情報は、１つまたは複数のサブチャネルのセット上で送信され、各サブチャネルは、少なくとも１つのチャネルのフル帯域幅の断片的な部分を備える、と、チャネル推定値およびヘッダ情報のうちの少なくとも１つを備える第２の情報、第２の情報は、少なくとも１つのチャネルのフル帯域幅を使用して送信される、とを有するフレームを取得することによって開始する。９０４において、局は、第１の情報を処理し、第２の情報に、少なくとも部分的に、基づいてチャネル推定値を生成する。９０６において、局は、チャネル推定値に基づいてフレームの残りの部分のうちの少なくともいくつかを復号する。
【００５５】
[0073]図１０−図１２は、本開示のある態様による、ＭＩＭＯおよび／またはチャネルボンディングで使用するための（グリーンフィールド（Green-Field））プリアンブルを持つ例示のフレームフォーマットを説明する。プリアンブルは、他のデバイスによってＦＤＭＡベースの検出を可能にさせる相対的に狭帯域において送信されるトレーニングフィールド（例えば、ショートトレーニングフィールドＳＴＦ）を有し得る。
【００５６】
[0074]図１０は、そのようなプリアンブルを有する例示のフレーム構造を示す。示されるように、第１の局に対して、第１のＧｏｌａｙコード（Ｇｏｌａｙ１）に基づくＳＴＦは、より広いチャネル帯域幅内の相対的に狭帯域チャネル（例えば、１７．６ＭＨｚ）上で送信され得る。示されるように、第２の局に対するＳＴＦは、第２のＧｏｌａｙコード（Ｇｏｌａｙ２）に基づき、フレームは、第２のチャネルにおいて送信され得る。
【００５７】
[0075]ＳＴＦは、例えば、１２８よりもむしろ１６の長さのＧｏｌａｙコードでフォーマットされ得る。そのような構造は、受信機における低電力検出（ＳＴＦフェーズの間の＜３３要素）を可能し、複数の局に、獲得フェーズの間の空間分離を完全に利用して、同じ帯域内で働くことを可能にし得る。この方法における多数の帯域の使用は、（例えば、より広い送信チャネル内の狭帯域チャネルセットのロケーションの意図的な選択を持つ）チャネル周波数選択性を克服するのを助け得る。
【００５８】
[0076]示されるように、送信チャネルの幅にわたるチャネル推定シーケンス（ＣＥＳ）およびヘッダ情報が狭帯域ＳＴＨの後に続き得る。図１０で示されるように、異なるＳＴＡは、干渉を低減するために異なるＣＥＳを使用し得る。ヘッダ情報は、データを復調するために使用される情報を含み、ヘッダ情報は、範囲内のすべての局によって復調され得る。
【００５９】
[0077]以上で説明されるように、ＳＴＦは、相対的に狭帯域チャネルにおいて送信され得る。例えば、ＳＴＦは、１７．６ＭＨｚチャネルにわたって送信され得、１．７６ＧＨｚ送信チャネルに対してそのような利用可能なチャネルを１００個持つ。各送信は、これらのチャネルのＮ１個のセットを使用し得る。いくつかの場合では、チャネルの１つのＮ１セットは、（ＡＰに）関連しない局に割り振られる一方、チャネルの他のセットは、（ＡＰに）関連する局に割り振られ得る。
【００６０】
[0078]図１１で示されるように、ＭＩＭＯ送信に対して、局は、同様のフレームフォーマットを使用し得るが、個々の空間ストリームのＳＴＦのために異なるチャネルのセットを持つ。さらに、説明されるように、ＭＩＭＯモードにおけるＳＴＡは、ＭＩＭＯのためにより多くのＣＥＳを使用し得る。異なるストリームのためのＳＴＦチャネルの異なるセットは、重複し得ない。この場合、サイクリックシフト遅延（ＣＳＤ）の必要はない。２つの空間ストリームが例示として示されるが、技法が任意の数のストリームに適用され得ることを理解されたい。
【００６１】
[0079]図１２で示されるように、同様のフレーム構造はまた、（２つ以上のチャネルの帯域幅を使用して）チャネルボンディングを持つ送信のために使用され得る。この例では、ＳＴＦがすべてのチャネル上で送信され得る一方、異なるＳＴＦ周波数が異なる（ボンドされた）チャネルのために使用され得る。ＣＥＳおよび（拡張）ヘッダ情報（Ｅｘ−ヘッダ）は、ボンドチャネル上で送信され得る。この場合、ＣＳＤの必要性はない。２つのチャネルがチャネルボンディングの例示として示されているが、技法は、任意の数のボンドチャネルに適用され得る（そして連続および／または不連チャネルを含み得る）ことを理解されたい。
【００６２】
[0080]いくつかの場合には、同様のプリアンブル構造は、ＭＩＭＯとチャネルボンディングとの両方を使用して送信のために使用され得る。この場合、プリアンブルフォーマットは、図１１に示されるのと同様であるが、ボンドチャネルによりより広い帯域幅にわたる。上述したように、ＳＴＦは、すべての（ボンド）チャネルで送信され得るが、空間ストリーム毎に異なるＳＴＦ周波数を持つ。
【００６３】
[0081]本開示のある態様はまた、後方互換性のあるプリアンブル（例えば、レガシデバイスによって復号可能なある情報を持つプリアンブル）でフレーム構造を生成および処理するための技法を提供する。これらのプリアンブルは、例えば、非グリーンフィールドシナリオにおいて使用され、ここで、デバイスの異なるタイプが存在し得る。
【００６４】
[0082]図１３は、本開示のある態様による、フレームを生成するための例示の動作１３００のフローチャートである。動作１３００は、ＡＰ（例えば、アクセスポイント１１０）のような、装置によって実行され得る。
【００６５】
[0083]動作１３００は、１３０２において、少なくとも１つのチャネル上の送信のためのフレーム、フレームは、デバイスの第１および第２のタイプによって処理するためのヘッダ情報、チャネル推定値、トレーニングフィールドのうちの少なくとも１つを備える第１の情報と、フレームのターゲットにされた受信者であるデバイスの第２のタイプのみによって処理することを意図された拡張ヘッダ情報とを有する、と、少なくとも１つのチャネル上で送信されるデータ部分とを生成することによって開始する。１３０４において、フレームは、送信のために出力される。
【００６６】
[0084]図１４は、本開示のある態様による、１つまたは複数のパケットを処理するための例示の動作１４００のフローチャートである。動作１４００は、ＳＴＡ（例えば、ユーザ端末１２０）のような、装置によって実行され、図１３の動作１３００に対して相補的であると見なされ得る。
【００６７】
[0085]動作１４００は、１４０２において、少なくとも１つのチャネル上で送信されるフレーム、フレームは、デバイスの第１および第２のタイプによって処理するための第１の情報（例えば、トレーニングフィールド、チャネル推定値、またはヘッダ情報のうちの少なくとも１つを備える）と、フレームのターゲット受信者であるデバイスの第２のタイプによって処理することを意図された拡張ヘッダ情報とを有する、と、少なくとも１つのチャネル上で送信されるデータ部分とを取得することによって開始する。１４０４において、局は、第１の情報を処理し、１４０６において、拡張ヘッダ情報に基づいてフレームのデータ部分のうちの少なくともいくつかを復号する。
【００６８】
[0086]図１５−図１８は、本開示のある態様による、後方互換性を持つ例示のプリアンブルフォーマットを示す。
【００６９】
[0087]例えば、図１５は、ＭＩＭＯまたはチャネルボンディングのない送信のために使用され得る例示のプリアンブル構造を示す。示されるように、プリアンブル構造は、例えば、Ｌ−ＳＴＦ、Ｌ−ＣＥＦ、およびＬ−ヘッダ情報を持つ、いくつかのレガシ（例えば、ＩＥＥＥ ８０２．１１ａｄ）プリアンブル特徴を維持し得る。これは、（レガシおよび非レガシデバイスによる）最大衝突保護を可能にし得る。
【００７０】
[0088]しかしながら、示されるように、プリアンブル構造はまた、例えば、新規モードを許容するためにエンハンスド指向性マルチギガビット（ＥＤＭＧ：enhanced directional multi-gigabit ）、拡張ヘッダ情報を含み得る。ヘッダ情報がデータを復調するために使用される情報を含む一方、ヘッダ情報は、範囲内のすべての局によって復調され得る。拡張ヘッダはまた、受信局のためにのみ使用される追加情報を含み得る。
【００７１】
[0089]図１６で示されるように、同様の構造は、チャネルボンディングで送信されるフレームのために利用され得る。この場合、Ｌ−ＳＴＦ、Ｌ−ＣＥＳ、およびヘッダを持つレガシプリアンブルは、（チャネルボンディングによる）より広いチャネルＳＴＦおよびＣＥＦが後に続く、拡張ヘッダで、チャネル毎に送信され得る。ＥＤＭＧヘッダに続くＳＴＦおよびＣＥＦは、新規の（例えば、非レガシ）シーケンスであり得る。
【００７２】
[0090]図１７で示されるように、同様の構造は、ＭＩＭＯで送信されるが、チャネルボンディングで送信されないフレームのために利用され得る。この場合、Ｌ−ＳＴＦ、Ｌ−ＣＥＦ、およびＬ−ヘッダを持つ、レガシプリアンブルは、（非レガシ）ＳＴＦおよびＣＥＦが後に続く、拡張ヘッダ（例えば、ＥＤＭＧヘッダ）で、ストリーム毎に使用され得る。チャネルボンディング例のように、ＥＤＭＧヘッダに続く（例えば、ＣＥＦおよび−ＣＥＦ）ＳＴＦおよびＣＥＦは、新規のシーケンスであり得る。
【００７３】
[0091]示されるように、いくつかの場合には、１つのストリームのためのプリアンブルは、（同じチャネル上で送信される）２つのストリームを識別することを可能にするために、サイクリックシフト遅延（ＣＳＤ）によって（他のストリームと比較して）遅延され得る。プリアンブルの後の異なるストリームのフィールドを時間アラインするために、ＣＳＤは、プリアンブルが最初に遅延されなかったストリームのための拡張ヘッダの後に適用され得る。説明されるように、示される例示における全体的なオーバヘッドは、相対的に小さい（例えば、４×４ＭＩＭＯに対して５．３ｕｓ）。
【００７４】
[0092]示される例示は、１つの側面を提示することによって２×２のＭＩＭＯを示すが、技法が、他のＭＩＭＯケース（例えば、３×３、４×４、も、１＜＝ｎ＜＝４および１＜＝ｍ＜＝４、およびｎ＜＞ｍを持つ、ｎ×ｍの非対称ケースも）同様の方法で適用されることを諒解されたい。そのような場合では、個々の空間ストリームのための異なるＣＳＤがあり得る。
【００７５】
[0093]図１８に示されるように、同様のプリアンブル構造は、ＭＩＭＯとチャネルボンディングとの両方を使用して送信のために使用され得る。この場合、プリアンブルフォーマットは、図１６および１７において示されるフォーマットの組み合わせであり得る。再度、ストリーム毎およびチャネル毎に、Ｌ−ＳＴＦ、Ｌ−ＣＥＦ、およびＬ−ヘッダを持つ、レガシプリアンブルを使用することは、エンハンスド衝突保護を可能にし得る。より広いチャネル、ＭＩＭＯ  ＳＴＦ、ＣＥＦ、およびＣＳＤが後に続く、拡張（ＥＤＭＧ）ヘッダ情報を加えることは、（例えば、１８ｎｓの）相対的に低い全体的なオーバヘッドにそれでも帰着し得る。
【００７６】
[0094]示される例示では、プリアンブルは、図１１に示されるのと類似のボンドチャネルの各々において繰り返されるが、ボンドチャネルによる、より広い帯域幅にわたる。同様に、ＭＩＭＯに関して、プリアンブルは、異なるストリームのプリアンブルを認識し、（非レガシ）ＳＴＦおよびＣＥＦ（例えば、ＣＥＦおよび−ＣＥＦ）のような、帯域幅部分を時間アラインするために適用されるＣＳＤを持つ、各空間ストリームのために送信され得る。
【００７７】
[0095]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。たとえば、図４および図５に示されている動作４００および動作５００は、それぞれ、図４Ａおよび図４Ａに示されている手段４００Ａおよび手段４００Ａに対応する。同様に、図８、図９、図１３、および図１４に示されている動作８００、９００、１３００、および１４００は、図８Ａ、図９Ａ、図１３Ａ、および図１４Ａに示されている手段８００Ａ、手段９００Ａ、手段１３００Ａ、および手段１４００Ａに対応する。
【００７８】
[0096]たとえば、送信するための手段は、図２に示されているアクセスポイント１１０の送信機（たとえば、送信機ユニット２２２）および／またはアンテナ２２４、図２に示されているユーザ端末１２０の送信機ユニット２５４および／またはアンテナ２５２を備え得る。受信するための手段は、図２に示されているアクセスポイント１１０の受信機（たとえば、受信機ユニット２２２）および／またはアンテナ２２４、図２に示されているユーザ端末１２０の受信機ユニット２５４および／またはアンテナ２５２を備え得る。処理するための手段、生成するための手段、復号するための手段、または決定するための手段は、図２に示されているアクセスポイント１１０のＲＸデータプロセッサ２４２、ＴＸデータプロセッサ２１０、ＴＸ空間プロセッサ２２０、および／またはコントローラ２３０、図２に示されているユーザ端末１２０のＲＸデータプロセッサ２７０、ＴＸデータプロセッサ２８８、ＴＸ空間プロセッサ２９０、および／またはコントローラ２８０のような、１つまたは複数のプロセッサを含み得る、処理システムを備え得る。
【００７９】
[0097]場合によっては、パケット（またはフレーム）を実際に送信するのではなく、デバイスは、送信のためにパケットを出力するためのインターフェースを有し得る。例えば、プロセッサは、バスインターフェースを介して、送信のためにＲＦフロントエンドにパケットを出力し得る。同様に、フレームを実際に受信するのではなく、デバイスは、別のデバイスから受信されたパケットを取得するためのインターフェース（取得するための手段）を有し得る。たとえば、プロセッサは、バスインターフェースを介して、受信のためにＲＦフロントエンドからフレームを取得（または受信）し得る。
【００８０】
[0098]本明細書で使用する「決定すること」という用語は、多種多様なアクションを包含する。たとえば、「決定すること」は、計算すること、算出すること、処理すること、導出すること、調査すること、探索すること（たとえば、テーブル、データベースまたは別のデータ構造で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【００８１】
[0099]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、をカバーするように意図される。
【００８２】
[0100]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、計算デバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８３】
[0101]本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサと一体であり得る。
【００８４】
[0102]本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００８５】
[0103]説明した機能は、ハードウェア、ソフトウェア、ファームウェア、またはそれらの任意の組合せで実装され得る。ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上は説明されない。
【００８６】
[0104]プロセッサは、機械可読媒体に記憶されたソフトウェアの実行を含む、バスおよび一般的な処理を管理することを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【００８７】
[0105]ハードウェア実装形態では、機械可読媒体は、プロセッサとは別個の処理システムの一部であり得る。しかしながら、当業者なら容易に理解するように、機械可読媒体またはその任意の部分は処理システムの外部にあり得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的に、または追加として、機械可読媒体またはその任意の部分は、キャッシュおよび／または汎用レジスタファイルがそうであり得るように、プロセッサに統合され得る。
【００８８】
[0106]処理システムは、すべて外部バスアーキテクチャを介して他のサポート回路と互いにリンクされる、プロセッサ機能を提供する１つまたは複数のマイクロプロセッサと、機械可読媒体の少なくとも一部を提供する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明した様々な機能を実行することができる回路の任意の組合せを用いて、実装され得る。当業者なら、特定の適用例と、全体的なシステムに課される全体的な設計制約とに応じて、どのようにしたら処理システムについて説明した機能を最も良く実装し得るかを理解されよう。
【００８９】
[0107]機械可読媒体はいくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のうちのいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００９０】
[0108]ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【００９１】
[0109]したがって、いくつかの態様は、本明細書で提示した動作を実行するためのコンピュータプログラム製品を備え得る。たとえば、そのようなコンピュータプログラム製品は、本明細書で説明した動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００９２】
[0110]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【００９３】
[0111]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
以下に、本願出願の当初の特許請求の範囲に記載された発明を付記する。
［Ｃ１］
ワイヤレス通信のための装置であって、
少なくとも１つのチャネル上での送信のためのフレームを生成するように構成された処理システム、前記フレームは、
他の装置によって検出可能な少なくとも１つのトレーニングフィールドを備える第１の情報、前記第１の情報は、１つまたは複数のサブチャネルのセット上で送信され、各サブチャネルは、前記少なくとも１つのチャネルのフル帯域幅の断片的な部分を備える、と、
チャネル推定値またはヘッダ情報のうちの少なくとも１つを備える第２の情報、前記第２の情報は、前記少なくとも１つのチャネルの前記フル帯域幅を使用して送信される、と
を備える、プリアンブル部分と、
前記少なくとも１つのチャネルの前記フル帯域幅を使用して送信されるデータ部分と
を有する、と、
送信のための前記フレームを出力するためのインターフェースと
を備える、装置。
［Ｃ２］
前記少なくとも１つのチャネルは、少なくとも第１および第２の空間ストリームを送信するための少なくとも第１のチャネルを備え、
前記少なくとも１つのトレーニングフィールドは、前記第１のチャネルの１つまたは複数のサブチャネルの第１のセット上で送信される前記第１の空間ストリームのための少なくとも第１のトレーニングフィールドと、前記第１のチャネルの１つまたは複数のサブチャネルの第２のセット上で送信される前記第２の空間ストリームのための少なくとも第２のトレーニングフィールドとを備え、前記サブチャネルの第１および第２のセットは、重複しない、
［Ｃ１］に記載の装置。
［Ｃ３］
前記第２の情報は、
前記第１のチャネルの前記フル帯域幅を使用して送信される前記第１の空間ストリームのための少なくとも第１のチャネル推定情報と、
前記第１のチャネルの前記フル帯域幅を使用して送信される前記第２の空間ストリームのための少なくとも第２のチャネル推定情報と
を備える、［Ｃ２］に記載の装置。
［Ｃ４］
前記少なくとも１つのチャネルは、前記装置に割り当てられたチャネルのセットを備え、
前記チャネルのセットは、少なくとも２つの連続するチャネルを備える、
［Ｃ１］に記載の装置。
［Ｃ５］
前記少なくとも１つのチャネルは、前記装置に割り当てられたチャネルのセットを備え、
前記チャネルのセットは、前記装置に割り当てられた少なくとも第１および第２のチャネルを備え、
前記少なくとも１つのトレーニングフィールドは、前記第１のチャネルの１つまたは複数のサブチャネルのセット上で送信される少なくとも第１のトレーニングフィールドと、前記第２のチャネルの１つまたは複数のサブチャネルのセット上で送信される少なくとも第２のトレーニングフィールドとを備え、
第２の情報は、前記第１および第２のチャネルの結合された帯域幅を使用して送信されるチャネル推定情報を備える、
［Ｃ１］に記載の装置。
［Ｃ６］
前記少なくとも１つのチャネルは、前記装置に割り当てられたチャネルのセットを備え、
前記チャネルのセットは、第１および第２の空間ストリームを送信するための少なくとも第１および第２のチャネルを備え、
前記少なくとも１つのトレーニングフィールドは、前記第１および第２のチャネルの各々の１つまたは複数のサブチャネルの第１のセット上で送信される前記第１の空間ストリームのための少なくとも第１のトレーニングフィールドと、前記第１および第２のチャネルの各々の１つまたは複数のサブチャネルの第２のセット上で送信される前記第２の空間ストリームのための少なくとも第２のトレーニングフィールドとを備え、
前記第２の情報は、前記第１および第２のチャネルの結合された帯域幅を使用して送信されるチャネル推定情報を備える、
［Ｃ１］に記載の装置。
［Ｃ７］
前記１つまたは複数のサブチャネルの第１および第２セットは、重複しないこと、または
前記第１のおよび第２の空間ストリームのために使用されたサブチャネルは、重複しないこと
のうちの少なくとも１つである、［Ｃ６］に記載の装置。
［Ｃ８］
前記第２の情報は、
前記第１および第２のチャネルの結合された帯域幅を使用して送信される前記第１の空間ストリームのための少なくとも第１のチャネル推定情報と、
前記第１および第２のチャネルの結合された帯域幅を使用して送信される前記第２の空間ストリームのための少なくとも第２のチャネル推定情報と
を備える、［Ｃ６］に記載の装置。
［Ｃ９］
ワイヤレス通信ための装置であって、
他の装置によって検出可能な少なくとも１つのトレーニングフィールドを備える第１の情報、前記第１の情報は、１つまたは複数のサブチャネルのセット上で受信され、各サブチャネルは、前記少なくとも１つのチャネルのフル帯域幅の断片部分を備える、と、
チャネル推定値またはヘッダ情報のうちの少なくとも１つを備える第２の情報、前記第２の情報は、前記少なくとも１つのチャネルの前記フル帯域幅を使用して受信される、と
を備えるプリアンブル部分と、
前記少なくとも１つのチャネルの前記フル帯域幅を使用して送信されるデータ部分と
を有する、フレームを、少なくとも１つのチャネルを介して取得するためのインターフェースと、
前記第２の情報に、少なくとも部分的に、基づいてチャネル推定値を生成することと、前記チャネル推定値に基づいて前記フレームの前記データ部分のうちの少なくともいくつかを復号することとを行うように構成された処理システムと
を備える、装置。
［Ｃ１０］
前記少なくとも１つのチャネルは、少なくとも第１および第２の空間ストリームを送信するための少なくとも第１のチャネルを備え、
前記少なくとも１つのトレーニングフィールドは、前記第１のチャネルの１つまたは複数のサブチャネルの第１のセット上で受信される前記第１の空間ストリームのための少なくとも第１のトレーニングフィールドと、前記第１のチャネルの１つまたは複数のサブチャネルの第２のセット上で受信される前記第２の空間ストリームのための少なくとも第２のトレーニングフィールドとを備え、前記サブチャネルの第１および第２のセットは、重複しない、
［Ｃ９］に記載の装置。
［Ｃ１１］
前記第２の情報は、
前記第１のチャネルの前記フル帯域幅を使用して受信される前記第１の空間ストリームのための少なくとも第１のチャネル推定情報と、
前記第１のチャネルの前記フル帯域幅を使用して受信される前記第２の空間ストリームのための少なくとも第２のチャネル推定情報と
を備える、［Ｃ１０］に記載の装置。
［Ｃ１２］
前記少なくとも１つのチャネルは、前記装置に割り当てられたチャネルのセットを備え、
前記チャネルのセットは、前記装置に割り当てられた少なくとも第１および第２のチャネルを備え、
前記少なくとも１つのトレーニングフィールドは、前記第１のチャネルの１つまたは複数のサブチャネルのセット上で受信される少なくとも第１のトレーニングフィールドと、前記第２のチャネルの１つまたは複数のサブチャネルのセット上で受信される少なくとも第２のトレーニングフィールドとを備え、
前記第２の情報は、前記第１および第２のチャネルの結合された帯域幅を使用して受信されるチャネル推定情報を備える、
［Ｃ９］に記載の装置。
［Ｃ１３］
前記チャネルのセットは、第１および第２の空間ストリームを送信するための少なくとも第１および第２のチャネルを備え、
前記少なくとも１つのトレーニングフィールドは、前記第１および第２のチャネルの各々の１つまたは複数のサブチャネルの第１のセット上で受信される前記第１の空間ストリームのための少なくとも第１のトレーニングフィールドと、
前記第１および第２のチャネルの各々の１つまたは複数のサブチャネルの第２のセット上で受信される前記第２の空間ストリームのための少なくとも第２のトレーニングフィールドと
を備え、
前記第２の情報は、前記第１および第２のチャネルの結合された帯域幅を使用して受信されるチャネル推定情報を備える、
［Ｃ１２］に記載の装置。
［Ｃ１４］
前記第２の情報は、
前記第１および第２のチャネルの結合された帯域幅を使用して受信される前記第１の空間ストリームのための少なくとも第１のチャネル推定情報と、
前記第１および第２のチャネルの結合された帯域幅を使用して受信される前記第２の空間ストリームのための少なくとも第２のチャネル推定情報と
を備える、［Ｃ１２］に記載の装置。
［Ｃ１５］
ワイヤレス通信のための装置であって、
少なくとも１つのチャネル上での送信のためのフレームを生成するように構成された処理システム、前記フレームは、
デバイスの第１および第２のタイプによって処理するためのヘッダ情報、チャネル推定値、またはトレーニングフィールドのうちの少なくとも１つを備える第１の情報と、前記フレームのターゲットにされた受信者であるデバイスの第２のタイプのみによって処理するために意図された拡張ヘッダ情報とを備える、と、
データ部分と
を有する、と、
前記少なくとも１つのチャネルを介して送信のために前記フレームを出力するためのインターフェースと
を備える、装置。
［Ｃ１６］
前記フレームは、第１および第２の空間ストリームの各々のための、前記フレームの前記ターゲットにされた受信者によって処理するためのチャネル推定情報またはトレーニングフィールドのうちの少なくとも１つを備える第２の情報をさらに備え、
前記第１の空間ストリームのための前記第２の情報は、前記第２の空間ストリームのための前記第２の情報で前記第１の空間ストリームのための前記第２の情報を時間アラインするために、前記第１の空間ストリームのための前記第１の情報の終わりの送信と比較して遅延して送信のために出力される、
［Ｃ１５］に記載の装置。
［Ｃ１７］
前記少なくとも１つのチャネルは、前記装置に割り当てられたチャネルのセットを備え、
前記データ部分は、前記チャネルのセットにわたる帯域幅上で送信される、
［Ｃ１５］に記載の装置。
［Ｃ１８］
前記少なくとも１つのチャネルは、装置に割り当てられたチャネルのセットを備え、
前記チャネルのセットは、少なくとも第１および第２の連続するチャネルを備え、
前記第１の情報は、第１および第２のチャネルの各々において繰り返され、
前記フレームは、前記フレームの前記ターゲットにされた受信者によって処理するためのトレーニングフィールドまたはチャネル推定情報のうちの少なくとも１つを備える第２の情報を備え、前記第２の情報は、前記少なくとも第１および第２のチャネルにわたる帯域幅上での送信のために出力される、
［Ｃ１５］に記載の装置。
［Ｃ１９］
前記第１および第２のチャネルは、少なくとも第１および第２の空間ストリームを送信するためのものであり、
前記第１の情報は、前記第１および第２のチャネルの各々において繰り返された前記第１の空間ストリームのための第１の情報と、前記第１および第２のチャネルの各々において繰り返された前記第２の空間ストリームのための第１の情報とを備え、前記第２の空間ストリームのための前記第１の情報は、前記第１の空間ストリームのための前記第１の情報の送信と比較して遅延して送信のために出力される、
［Ｃ１８］に記載の装置。
［Ｃ２０］
前記第１の空間ストリームのための前記第２の情報は、前記第２の空間ストリームのための前記第２の情報を有する前記第１の空間ストリームのための前記第２の情報を時間アラインするために、前記第１の空間ストリームのための前記第１の情報の終わりの送信と比較して遅延して送信のために出力される、
［Ｃ１９］に記載の装置。
［Ｃ２１］
ワイヤレス通信のための装置であって、
少なくとも１つのチャネル上で送信されたフレームを取得するためのインターフェース、前記フレームは、
デバイスの第１および第２タイプのデバイスによって処理するための第１の情報と、前記フレームのターゲットにされた受信者であるデバイスの第２のタイプのみによって処理することを拡張ヘッダ情報と、
データ部分と
を有する、と、
前記第１の情報を処理することと、前記拡張ヘッダ情報に基づいて前記フレームの前記データ部分のいくつかを復号することとを行うように構成された処理システムと
を備える、装置。
［Ｃ２２］
前記少なくとも１つのチャネルは、少なくとも第１および第２の空間ストリームを送信するための少なくとも単一チャネルを備え、
前記第１の情報は、同じ単一チャネル上で送信された前記第１の空間ストリームのための第１の情報と、前記第２の空間ストリームのための第１の情報とを備え、前記装置によって前記第２の空間ストリームのための前記第１の情報の受信者は、前記第１の空間ストリームのための前記第１の情報の送信と比較して遅延される、
［Ｃ２１］に記載の装置。
［Ｃ２３］
前記少なくとも１つのチャネルは、前記装置に割り当てられたチャネルのセットを備え、
前記データ部分は、前記チャネルのセットにわたる帯域幅上で受信される、
［Ｃ２１］に記載の装置。
［Ｃ２４］
前記少なくとも１つのチャネルは、前記装置に割り当てられたチャネルのセットを備え、
前記チャネルのセットは、少なくとも第１および第２の連続するチャネルを備え、
前記第１の情報は、前記第１および第２のチャネルの各々において繰り返され、
前記フレームは、前記フレームの前記ターゲットにされた受信者によって処理するためのチャネル推定情報またはトレーニングフィールドのうちの少なくとも１つを備える第２の情報をさらに備え、前記第２の情報は、前記少なくとも第１および第２のチャネルにわたる帯域幅上で受信される、
［Ｃ２１］に記載の装置。
［Ｃ２５］
前記第１および第２のチャネルは、少なくとも第１および第２の空間ストリームを取得するためのものであり、
前記第１の情報は、前記第１および第２のチャネルの各々において繰り返される前記第１の空間ストリームのための第１の情報と、前記第１および第２のチャネルの各々において繰り返される前記第２の空間ストリームのための第１の情報とを備え、前記装置による前記第２の空間ストリームのための前記第１の情報の受信は、前記第１の空間ストリームのための前記第１の情報の送信と比較して遅延される、
［Ｃ２４］に記載の装置。
［Ｃ２６］
装置によるワイヤレス通信のための方法であって、
少なくとも１つのチャネル上での送信のためのフレームを生成すること、前記フレームは、
他の装置によって検出可能な少なくとも１つのトレーニングフィールドを備える第１の情報、前記第１の情報は、１つまたは複数のサブチャネルのセット上で送信され、各サブチャネルは、前記少なくとも１つのチャネルのフル帯域幅の断片部分を備える、と、
チャネル推定値またはヘッダ情報のうちの少なくとも１つを備える第２の情報、前記第２の情報は、前記少なくとも１つのチャネルの前記フル帯域幅を使用して送信される、と
を備えるプリアンブル部分と、
前記少なくとも１つのチャネルの前記フル帯域幅を使用して送信されるデータ部分と
を有する、と、
送信のための前記フレームを出力することと
を備える、方法。
［Ｃ２７］
前記少なくとも１つのチャネルは、少なくとも第１および第２の空間ストリームを送信するための少なくとも第１のチャネルを備え、
前記少なくとも１つのトレーニングフィールドは、前記第１のチャネルの１つまたは複数のサブチャネルの第１のセット上で送信される前記第１の空間ストリームのための少なくとも第１のトレーニングフィールドと、前記第１のチャネルの１つまたは複数のサブチャネルの第２のセット上で送信される前記第２の空間ストリームのための少なくとも第２のトレーニングフィールドとを備え、前記サブチャネルの第１および第２のセットは、重複しない、
［Ｃ２６］に記載の方法。
［Ｃ２８］
前記少なくとも１つのチャネルは、少なくとも第１および第２の空間ストリームを送信するための少なくとも第１のチャネルを備え、
前記少なくとも１つのトレーニングフィールドは、前記第１のチャネルの１つまたは複数のサブチャネルの第１のセット上で送信される前記第１の空間ストリームのための少なくとも第１のトレーニングフィールドと、前記第１のチャネルの１つまたは複数のサブチャネルの第２のセット上で送信される前記第２の空間ストリームのための少なくとも第２のトレーニングフィールドとを備え、前記サブチャネルの第１および第２のセットは、重複しない、
を備える、［Ｃ２７］に記載の方法。
［Ｃ２９］
前記少なくとも１つのチャネルは、前記装置に割り当てられたチャネルのセットを備え、
前記チャネルのセットは、少なくとも２つの連続するチャネルを備える、
［Ｃ２６］に記載の方法。
［Ｃ３０］
前記少なくとも１つのチャネルは、前記装置に割り当てられたチャネルのセットを備え、
前記チャネルのセットは、前記装置に割り当てられた少なくとも第１および第２のチャネルを備え、
前記少なくとも１つのトレーニングフィールドは、前記第１のチャネルの１つまたは複数のサブチャネルのセット上で送信される少なくとも第１のトレーニングフィールドと、前記第２のチャネルの１つまたは複数のサブチャネルのセット上で送信される少なくとも第２のトレーニングフィールドとを備え、
第２の情報は、前記第１および第２のチャネルの結合された帯域幅を使用して送信されるチャネル推定情報を備える、
［Ｃ２６］に記載の方法。
［Ｃ３１］
前記少なくとも１つのチャネルは、前記装置に割り当てられたチャネルのセットを備え、
前記チャネルのセットは、第１および第２の空間ストリームを送信するための少なくとも第１および第２のチャネルを備え、
前記少なくとも１つのトレーニングフィールドは、前記第１および第２のチャネルの各々の１つまたは複数のサブチャネルの第１のセット上で送信される前記第１の空間ストリームのための少なくとも第１のトレーニングフィールドと、前記第１および第２のチャネルの各々の１つまたは複数のサブチャネルの第２のセット上で送信される前記第２の空間ストリームのための少なくとも第２のトレーニングフィールドとを備え、
前記第２の情報は、前記第１および第２のチャネルの結合された帯域幅を使用して送信されるチャネル推定情報を備える、
［Ｃ２６］に記載の方法。
［Ｃ３２］
前記１つまたは複数のサブチャネルの第１および第２セットは、重複しないこと、または
前記第１のおよび第２の空間ストリームのために使用されたサブチャネルは、重複しないこと
のうちの少なくとも１つである、［Ｃ３１］に記載の方法。
［Ｃ３３］
前記第２の情報は、
前記第１および第２のチャネルの結合された帯域幅を使用して送信される前記第１の空間ストリームのための少なくとも第１のチャネル推定情報と、
前記第１および第２のチャネルの結合された帯域幅を使用して送信される前記第２の空間ストリームのための少なくとも第２のチャネル推定情報と
を備える、［Ｃ３１］に記載の方法。
［Ｃ３４］
装置による、ワイヤレス通信ための方法であって、
他の装置によって検出可能な少なくとも１つのトレーニングフィールドを備える第１の情報、前記第１の情報は、１つまたは複数のサブチャネルのセット上で受信され、各サブチャネルは、前記少なくとも１つのチャネルのフル帯域幅の断片部分を備える、と、
チャネル推定値またはヘッダ情報のうちの少なくとも１つを備える第２の情報、前記第２の情報は、前記少なくとも１つのチャネルの前記フル帯域幅を使用して受信される、と
を備えるプリアンブル部分と、
前記少なくとも１つのチャネルの前記フル帯域幅を使用して送信されるデータ部分と
を有する、フレームを、少なくとも１つのチャネルを介して取得する
前記第２の情報に、少なくとも部分的に、基づいてチャネル推定値を生成することと、前記チャネル推定値に基づいて前記フレームの前記データ部分のうちの少なくともいくつかを復号することと
を備える、方法。
［Ｃ３５］
前記少なくとも１つのチャネルは、少なくとも第１および第２の空間ストリームを送信するための少なくとも第１のチャネルを備え、
前記少なくとも１つのトレーニングフィールドは、前記第１のチャネルの１つまたは複数のサブチャネルの第１のセット上で受信される前記第１の空間ストリームのための少なくとも第１のトレーニングフィールドと、前記第１のチャネルの１つまたは複数のサブチャネルの第２のセット上で受信される前記第２の空間ストリームのための少なくとも第２のトレーニングフィールドとを備え、前記サブチャネルの第１および第２のセットは、重複しない、
［Ｃ３４］に記載の方法。
［Ｃ３６］
前記第２の情報は、
前記第１のチャネルの前記フル帯域幅を使用して受信される前記第１の空間ストリームのための少なくとも第１のチャネル推定情報と、
前記第１のチャネルの前記フル帯域幅を使用して受信される前記第２の空間ストリームのための少なくとも第２のチャネル推定情報と
を備える、［Ｃ３５］に記載の方法。
［Ｃ３７］
前記少なくとも１つのチャネルは、前記装置に割り当てられたチャネルのセットを備え、
前記チャネルのセットは、前記装置に割り当てられた少なくとも第１および第２のチャネルを備え、
前記少なくとも１つのトレーニングフィールドは、前記第１のチャネルの１つまたは複数のサブチャネルのセット上で受信される少なくとも第１のトレーニングフィールドと、前記第２のチャネルの１つまたは複数のサブチャネルのセット上で受信される少なくとも第２のトレーニングフィールドとを備え、
前記第２の情報は、前記第１および第２のチャネルの結合された帯域幅を使用して受信されるチャネル推定情報を備える、
［Ｃ３４］に記載の方法。
［Ｃ３８］
前記チャネルのセットは、第１および第２の空間ストリームを送信するための少なくとも第１および第２のチャネルを備え、
前記少なくとも１つのトレーニングフィールドは、前記第１および第２のチャネルの各々の１つまたは複数のサブチャネルの第１のセット上で取得される前記第１の空間ストリームのための少なくとも第１のトレーニングフィールドと、
前記第１および第２のチャネルの各々の１つまたは複数のサブチャネルの第２のセット上で受信される前記第２の空間ストリームのための少なくとも第２のトレーニングフィールドと
を備え、
前記第２の情報は、前記第１および第２のチャネルの結合された帯域幅を使用して受信されるチャネル推定情報を備える、
［Ｃ３７］に記載の方法。
［Ｃ３９］
前記第２の情報は、
前記第１および第２のチャネルの結合された帯域幅を使用して受信される前記第１の空間ストリームのための少なくとも第１のチャネル推定情報と、
前記第１および第２のチャネルの結合された帯域幅を使用して受信される前記第２の空間ストリームのための少なくとも第２のチャネル推定情報と
を備える、［Ｃ３７］に記載の方法。
［Ｃ４０］
装置による、ワイヤレス通信のための方法であって、
少なくとも１つのチャネル上での送信のためのフレームを生成すること、前記フレームは、
デバイスの第１および第２のタイプによって処理するためのヘッダ情報、チャネル推定値、またはトレーニングフィールドのうちの少なくとも１つを備える第１の情報と、前記フレームのターゲットにされた受信者であるデバイスの第２のタイプのみによって処理するために意図された拡張ヘッダ情報と、
データ部分と
を有する、と、
前記少なくとも１つのチャネルを介して送信のために前記フレームを出力することと
を備える、方法。
［Ｃ４１］
前記フレームは、第１および第２の空間ストリームの各々のための、前記フレームの前記ターゲットにされた受信者によって処理するためのチャネル推定情報またはトレーニングフィールドのうちの少なくとも１つを備える第２の情報をさらに備え、
前記第１の空間ストリームのための前記第２の情報は、前記第２の空間ストリームのための前記第２の情報で前記第１の空間ストリームのための前記第２の情報を時間アラインするために、前記第１の空間ストリームのための前記第１の情報の終わりの送信と比較して遅延して送信のために出力される、
［Ｃ４０］に記載の方法。
［Ｃ４２］
前記少なくとも１つのチャネルは、前記装置に割り当てられたチャネルのセットを備え、
前記データ部分は、前記チャネルのセットにわたる帯域幅上で送信される、
［Ｃ４０］に記載の方法。
［Ｃ４３］
前記少なくとも１つのチャネルは、装置に割り当てられたチャネルのセットを備え、
前記チャネルのセットは、少なくとも第１および第２の連続するチャネルを備え、
前記第１の情報は、第１および第２のチャネルの各々において繰り返され、
前記フレームは、前記フレームの前記ターゲットにされた受信者によって処理するためのトレーニングフィールドまたはチャネル推定情報のうちの少なくとも１つを備える第２の情報を備え、前記第２の情報は、前記少なくとも第１および第２のチャネルにわたる帯域幅上での送信のために出力される、
［Ｃ４０］に記載の方法。
［Ｃ４４］
前記第１および第２のチャネルは、少なくとも第１および第２の空間ストリームを送信するためのものであり、
前記第１の情報は、前記第１および第２のチャネルの各々において繰り返された前記第１の空間ストリームのための第１の情報と、前記第１および第２のチャネルの各々において繰り返された前記第２の空間ストリームのための第１の情報とを備え、前記第２の空間ストリームのための前記第１の情報は、前記第１の空間ストリームのための前記第１の情報の送信と比較して遅延して送信のために出力される、
［Ｃ４３］に記載の方法。
［Ｃ４５］
前記第１の空間ストリームのための前記第２の情報は、前記第２の空間ストリームのための前記第２の情報を有する前記第１の空間ストリームのための前記第２の情報を時間アラインするために、前記第１の空間ストリームのための前記第１の情報の終わりの送信と比較して遅延して送信のために出力される、
［Ｃ４４］に記載の方法。
［Ｃ４６］
装置による、ワイヤレス通信のための方法であって、
少なくとも１つのチャネル上で送信されたフレームを取得すること、前記フレームは、
デバイスの第１および第２タイプのデバイスによって処理するための第１の情報と、前記フレームのターゲットにされた受信者であるデバイスの第２のタイプのみによって処理することを拡張ヘッダ情報と、
データ部分と
を有する、と、
前記第１の情報を処理することと、
前記拡張ヘッダ情報に基づいてデータ部分のいくつかを復号することと
を備える、方法。
［Ｃ４７］
前記少なくとも１つのチャネルは、少なくとも第１および第２の空間ストリームを送信するための少なくとも単一チャネルを備え、
前記第１の情報は、同じ単一チャネル上で送信された前記第１の空間ストリームのための第１の情報と、前記第２の空間ストリームのための第１の情報とを備え、前記装置によって前記第２の空間ストリームのための前記第１の情報の受信者は、前記第１の空間ストリームのための前記第１の情報の送信と比較して遅延される、
［Ｃ４６］に記載の方法。
［Ｃ４８］
前記少なくとも１つのチャネルは、前記装置に割り当てられたチャネルのセットを備え、
前記データ部分は、前記チャネルのセットにわたる帯域幅上で受信される、
［Ｃ４６］に記載の方法。
［Ｃ４９］
前記少なくとも１つのチャネルは、前記装置に割り当てられたチャネルのセットを備え、
前記チャネルのセットは、少なくとも第１および第２の連続するチャネルを備え、
前記第１の情報は、前記第１および第２のチャネルの各々において繰り返され、
前記フレームは、前記フレームの前記ターゲットにされた受信者によって処理するためのチャネル推定情報またはトレーニングフィールドのうちの少なくとも１つを備える第２の情報をさらに備え、前記第２の情報は、前記少なくとも第１および第２のチャネルにわたる帯域幅上で受信される、
［Ｃ４６］に記載の方法。
［Ｃ５０］
前記第１および第２のチャネルは、少なくとも第１および第２の空間ストリームを取得するためのものであり、
前記第１の情報は、前記第１および第２のチャネルの各々において繰り返される前記第１の空間ストリームのための第１の情報と、前記第１および第２のチャネルの各々において繰り返される前記第２の空間ストリームのための第１の情報とを備え、前記装置による前記第２の空間ストリームのための前記第１の情報の受信は、前記第１の空間ストリームのための前記第１の情報の送信と比較して遅延される、
［Ｃ４９］に記載の方法。
［Ｃ５１］
ワイヤレス通信のための装置であって、
少なくとも１つのチャネル上での送信のためのフレームを生成するための手段、前記フレームは、
他の装置によって検出可能な少なくとも１つのトレーニングフィールドを備える第１の情報、前記第１の情報は、１つまたは複数のサブチャネルのセット上で送信され、各サブチャネルは、前記少なくとも１つのチャネルのフル帯域幅の断片的な部分を備える、と、
チャネル推定値またはヘッダ情報のうちの少なくとも１つを備える第２の情報、前記第２の情報は、前記少なくとも１つのチャネルの前記フル帯域幅を使用して送信される、と
を備える、プリアンブル部分と、
前記少なくとも１つのチャネルの前記フル帯域幅を使用して送信されるデータ部分と
を有する、と、
送信のための前記フレームを出力するための手段と
を備える、装置。
［Ｃ５２］
前記少なくとも１つのチャネルは、少なくとも第１および第２の空間ストリームを送信するための少なくとも第１のチャネルを備え、
前記少なくとも１つのトレーニングフィールドは、前記第１のチャネルの１つまたは複数のサブチャネルの第１のセット上で送信される前記第１の空間ストリームのための少なくとも第１のトレーニングフィールドと、前記第１のチャネルの１つまたは複数のサブチャネルの第２のセット上で送信される前記第２の空間ストリームのための少なくとも第２のトレーニングフィールドとを備え、前記サブチャネルの第１および第２のセットは、重複しない、
［Ｃ５１］に記載の装置。
［Ｃ５３］
前記第２の情報は、
前記第１のチャネルの前記フル帯域幅を使用して送信される前記第１の空間ストリームのための少なくとも第１のチャネル推定情報と、
前記第１のチャネルの前記フル帯域幅を使用して送信される前記第２の空間ストリームのための少なくとも第２のチャネル推定情報と
を備える、［Ｃ５２］に記載の装置。
［Ｃ５４］
前記少なくとも１つのチャネルは、前記装置に割り当てられたチャネルのセットを備え、
前記チャネルのセットは、少なくとも２つの連続するチャネルを備える、
［Ｃ５１］に記載の装置。
［Ｃ５５］
前記少なくとも１つのチャネルは、前記装置に割り当てられたチャネルのセットを備え、
前記チャネルのセットは、前記装置に割り当てられた少なくとも第１および第２のチャネルを備え、
前記少なくとも１つのトレーニングフィールドは、前記第１のチャネルの１つまたは複数のサブチャネルのセット上で送信される少なくとも第１のトレーニングフィールドと、前記第２のチャネルの１つまたは複数のサブチャネルのセット上で送信される少なくとも第２のトレーニングフィールドとを備え、
第２の情報は、前記第１および第２のチャネルの結合された帯域幅を使用して送信されるチャネル推定情報を備える、
［Ｃ５１］に記載の装置。
［Ｃ５６］
前記少なくとも１つのチャネルは、前記装置に割り当てられたチャネルのセットを備え、
前記チャネルのセットは、第１および第２の空間ストリームを送信するための少なくとも第１および第２のチャネルを備え、
前記少なくとも１つのトレーニングフィールドは、前記第１および第２のチャネルの各々の１つまたは複数のサブチャネルの第１のセット上で送信される前記第１の空間ストリームのための少なくとも第１のトレーニングフィールドと、前記第１および第２のチャネルの各々の１つまたは複数のサブチャネルの第２のセット上で送信される前記第２の空間ストリームのための少なくとも第２のトレーニングフィールドとを備え、
前記第２の情報は、前記第１および第２のチャネルの結合された帯域幅を使用して送信されるチャネル推定情報を備える、
［Ｃ５１］に記載の装置。
［Ｃ５７］
前記１つまたは複数のサブチャネルの第１および第２セットは、重複しないこと、または
前記第１のおよび第２の空間ストリームのために使用されたサブチャネルは、重複しないこと
のうちの少なくとも１つである、［Ｃ５６］に記載の装置。
［Ｃ５８］
前記第２の情報は、
前記第１および第２のチャネルの結合された帯域幅を使用して送信される前記第１の空間ストリームのための少なくとも第１のチャネル推定情報と、
前記第１および第２のチャネルの結合された帯域幅を使用して送信される前記第２の空間ストリームのための少なくとも第２のチャネル推定情報と
を備える、［Ｃ５６］に記載の装置。
［Ｃ５９］
ワイヤレス通信ための装置であって、
他の装置によって検出可能な少なくとも１つのトレーニングフィールドを備える第１の情報、前記第１の情報は、１つまたは複数のサブチャネルのセット上で受信され、各サブチャネルは、前記少なくとも１つのチャネルのフル帯域幅の断片部分を備える、と、
チャネル推定値またはヘッダ情報のうちの少なくとも１つを備える第２の情報、前記第２の情報は、前記少なくとも１つのチャネルの前記フル帯域幅を使用して受信される、と
を備えるプリアンブル部分と、
前記少なくとも１つのチャネルの前記フル帯域幅を使用して送信されるデータ部分と
を有する、フレームを、少なくとも１つのチャネルを介して取得するための手段と、
前記第２の情報に、少なくとも部分的に、基づいてチャネル推定値を生成することと、前記チャネル推定値に基づいて前記フレームの前記データ部分のうちの少なくともいくつかを復号するための手段と
を備える、装置。
［Ｃ６０］
前記少なくとも１つのチャネルは、少なくとも第１および第２の空間ストリームを送信するための少なくとも第１のチャネルを備え、
前記少なくとも１つのトレーニングフィールドは、前記第１のチャネルの１つまたは複数のサブチャネルの第１のセット上で受信される前記第１の空間ストリームのための少なくとも第１のトレーニングフィールドと、前記第１のチャネルの１つまたは複数のサブチャネルの第２のセット上で受信される前記第２の空間ストリームのための少なくとも第２のトレーニングフィールドとを備え、前記サブチャネルの第１および第２のセットは、重複しない、
［Ｃ５９］に記載の装置。
［Ｃ６１］
前記第２の情報は、
前記第１のチャネルの前記フル帯域幅を使用して受信される前記第１の空間ストリームのための少なくとも第１のチャネル推定情報と、
前記第１のチャネルの前記フル帯域幅を使用して受信される前記第２の空間ストリームのための少なくとも第２のチャネル推定情報と
を備える、［Ｃ６０］に記載の装置。
［Ｃ６２］
前記少なくとも１つのチャネルは、前記装置に割り当てられたチャネルのセットを備え、
前記チャネルのセットは、前記装置に割り当てられた少なくとも第１および第２のチャネルを備え、
前記少なくとも１つのトレーニングフィールドは、前記第１のチャネルの１つまたは複数のサブチャネルのセット上で受信される少なくとも第１のトレーニングフィールドと、前記第２のチャネルの１つまたは複数のサブチャネルのセット上で受信される少なくとも第２のトレーニングフィールドとを備え、
前記第２の情報は、前記第１および第２のチャネルの結合された帯域幅を使用して受信されるチャネル推定情報を備える、
［Ｃ５９］に記載の装置。
［Ｃ６３］
前記チャネルのセットは、第１および第２の空間ストリームを送信するための少なくとも第１および第２のチャネルを備え、
前記少なくとも１つのトレーニングフィールドは、前記第１および第２のチャネルの各々の１つまたは複数のサブチャネルの第１のセット上で取得される前記第１の空間ストリームのための少なくとも第１のトレーニングフィールドと、
前記第１および第２のチャネルの各々の１つまたは複数のサブチャネルの第２のセット上で受信される前記第２の空間ストリームのための少なくとも第２のトレーニングフィールドと
を備え、
前記第２の情報は、前記第１および第２のチャネルの結合された帯域幅を使用して受信されるチャネル推定情報を備える、
［Ｃ６２］に記載の装置。
［Ｃ６４］
前記第２の情報は、
前記第１および第２のチャネルの結合された帯域幅を使用して受信される前記第１の空間ストリームのための少なくとも第１のチャネル推定情報と、
前記第１および第２のチャネルの結合された帯域幅を使用して受信される前記第２の空間ストリームのための少なくとも第２のチャネル推定情報と
を備える、［Ｃ６２］に記載の装置。
［Ｃ６５］
ワイヤレス通信のための装置であって、
少なくとも１つのチャネル上での送信のためのフレームを生成するための手段、前記フレームは、
デバイスの第１および第２のタイプによって処理するためのヘッダ情報、チャネル推定値、またはトレーニングフィールドのうちの少なくとも１つを備える第１の情報と、前記フレームのターゲットにされた受信者であるデバイスの第２のタイプのみによって処理するために意図された拡張ヘッダ情報とを備える、と、
データ部分と
を有する、と、
前記少なくとも１つのチャネルを介して送信のために前記フレームを出力するための手段と
を備える、装置。
［Ｃ６６］
前記フレームは、第１および第２の空間ストリームの各々のための、前記フレームの前記ターゲットにされた受信者によって処理するためのチャネル推定情報またはトレーニングフィールドのうちの少なくとも１つを備える第２の情報をさらに備え、
前記第１の空間ストリームのための前記第２の情報は、前記第２の空間ストリームのための前記第２の情報で前記第１の空間ストリームのための前記第２の情報を時間アラインするために、前記第１の空間ストリームのための前記第１の情報の終わりの送信と比較して遅延して送信のために出力される、
［Ｃ６５］に記載の装置。
［Ｃ６７］
前記少なくとも１つのチャネルは、前記装置に割り当てられたチャネルのセットを備え、
前記データ部分は、前記チャネルのセットにわたる帯域幅上で送信される、
［Ｃ６５］に記載の装置。
［Ｃ６８］
前記少なくとも１つのチャネルは、装置に割り当てられたチャネルのセットを備え、
前記チャネルのセットは、少なくとも第１および第２の連続するチャネルを備え、
前記第１の情報は、第１および第２のチャネルの各々において繰り返され、
前記フレームは、前記フレームの前記ターゲットにされた受信者によって処理するためのトレーニングフィールドまたはチャネル推定情報のうちの少なくとも１つを備える第２の情報を備え、前記第２の情報は、前記少なくとも第１および第２のチャネルにわたる帯域幅上での送信のために出力される、
［Ｃ６５］に記載の装置。
［Ｃ６９］
前記第１および第２のチャネルは、少なくとも第１および第２の空間ストリームを送信するためのものであり、
前記第１の情報は、前記第１および第２のチャネルの各々において繰り返された前記第１の空間ストリームのための第１の情報と、前記第１および第２のチャネルの各々において繰り返された前記第２の空間ストリームのための第１の情報とを備え、前記第２の空間ストリームのための前記第１の情報は、前記第１の空間ストリームのための前記第１の情報の送信と比較して遅延して送信のために出力される、
［Ｃ６８］に記載の装置。
［Ｃ７０］
前記第１の空間ストリームのための前記第２の情報は、前記第２の空間ストリームのための前記第２の情報を有する前記第１の空間ストリームのための前記第２の情報を時間アラインするために、前記第１の空間ストリームのための前記第１の情報の終わりの送信と比較して遅延して送信のために出力される、
［Ｃ６９］に記載の装置。
［Ｃ７１］
ワイヤレス通信のための装置であって、
少なくとも１つのチャネル上で送信されたフレームを取得するための手段、前記フレームは、
デバイスの第１および第２タイプのデバイスによって処理するための第１の情報と、前記フレームのターゲットにされた受信者であるデバイスの第２のタイプのみによって処理することを拡張ヘッダ情報と、
データ部分と
を有する、と、
前記第１の情報を処理するための手段と、
前記拡張ヘッダ情報に基づいて前記フレームの前記データ部分のいくつかを復号するための手段と
を備える、装置。
［Ｃ７２］
前記少なくとも１つのチャネルは、少なくとも第１および第２の空間ストリームを送信するための少なくとも単一チャネルを備え、
前記第１の情報は、同じ単一チャネル上で送信された前記第１の空間ストリームのための第１の情報と、前記第２の空間ストリームのための第１の情報とを備え、前記装置によって前記第２の空間ストリームのための前記第１の情報の受信者は、前記第１の空間ストリームのための前記第１の情報の送信と比較して遅延される、
［Ｃ７１］に記載の装置。
［Ｃ７３］
前記少なくとも１つのチャネルは、前記装置に割り当てられたチャネルのセットを備え、
前記データ部分は、前記チャネルのセットにわたる帯域幅上で受信される、
［Ｃ７１］に記載の装置。
［Ｃ７４］
前記少なくとも１つのチャネルは、前記装置に割り当てられたチャネルのセットを備え、
前記チャネルのセットは、少なくとも第１および第２の連続するチャネルを備え、
前記第１の情報は、前記第１および第２のチャネルの各々において繰り返され、
前記フレームは、前記フレームの前記ターゲットにされた受信者によって処理するためのチャネル推定情報またはトレーニングフィールドのうちの少なくとも１つを備える第２の情報をさらに備え、前記第２の情報は、前記少なくとも第１および第２のチャネルにわたる帯域幅上で受信される、
［Ｃ７１］に記載の装置。
［Ｃ７５］
前記第１および第２のチャネルは、少なくとも第１および第２の空間ストリームを取得するためのものであり、
前記第１の情報は、前記第１および第２のチャネルの各々において繰り返される前記第１の空間ストリームのための第１の情報と、前記第１および第２のチャネルの各々において繰り返される前記第２の空間ストリームのための第１の情報とを備え、前記装置による前記第２の空間ストリームのための前記第１の情報の受信は、前記第１の空間ストリームのための前記第１の情報の送信と比較して遅延される、
［Ｃ７４］に記載の装置。
［Ｃ７６］
少なくとも１つのチャネル上での送信のためのフレームを生成すること、前記フレームは、
他の装置によって検出可能な少なくとも１つのトレーニングフィールドを備える第１の情報、前記第１の情報は、１つまたは複数のサブチャネルのセット上で送信され、各サブチャネルは、前記少なくとも１つのチャネルのフル帯域幅の断片的な部分を備える、と、
チャネル推定値またはヘッダ情報のうちの少なくとも１つを備える第２の情報、前記第２の情報は、前記少なくとも１つのチャネルの前記フル帯域幅を使用して送信される、と
を備える、プリアンブル部分と、
前記少なくとも１つのチャネルの前記フル帯域幅を使用して送信されるデータ部分と
を有する、と、
送信のための前記フレームを出力することと
を行うための、その上に記憶された命令を有するコンピュータ可読記憶媒体。
［Ｃ７７］
他の装置によって検出可能な少なくとも１つのトレーニングフィールドを備える第１の情報、前記第１の情報は、１つまたは複数のサブチャネルのセット上で受信され、各サブチャネルは、前記少なくとも１つのチャネルのフル帯域幅の断片部分を備える、と、
チャネル推定値またはヘッダ情報のうちの少なくとも１つを備える第２の情報、前記第２の情報は、前記少なくとも１つのチャネルの前記フル帯域幅を使用して受信される、と
を備えるプリアンブル部分と、
前記少なくとも１つのチャネルの前記フル帯域幅を使用して送信されるデータ部分と
を有する、フレームを、少なくとも１つのチャネルを介して取得することと、
前記第２の情報に、少なくとも部分的に、基づいてチャネル推定値を生成することと、前記チャネル推定値に基づいて前記フレームの前記データ部分のうちの少なくともいくつかを復号することと
を行うための、その上に記憶された命令を有するコンピュータ可読記憶媒体。
［Ｃ７８］
少なくとも１つのチャネル上での送信のためのフレームを生成すること、前記フレームは、
デバイスの第１および第２のタイプによって処理するためのヘッダ情報、チャネル推定値、またはトレーニングフィールドのうちの少なくとも１つを備える第１の情報と、前記フレームのターゲットにされた受信者であるデバイスの第２のタイプのみによって処理するために意図された拡張ヘッダ情報とを備える、と、
データ部分と
を有する、と、
前記少なくとも１つのチャネルを介して送信のために前記フレームを出力することと
を行うための、その上に記憶された命令を有するコンピュータ可読記憶媒体。
［Ｃ７９］
少なくとも１つのチャネル上で送信されたフレームを取得すること、前記フレームは、
デバイスの第１および第２タイプのデバイスによって処理するための第１の情報と、前記フレームのターゲットにされた受信者であるデバイスの第２のタイプのみによって処理することを拡張ヘッダ情報と、
データ部分と
を有する、と、
前記第１の情報を処理することと、
前記拡張ヘッダ情報に基づいて前記フレームの前記データ部分のいくつかを復号することと
を行うための、その上に記憶された命令を有するコンピュータ可読記憶媒体。
［Ｃ８０］
少なくとも１つのアンテナと、￥
少なくとも１つのチャネル上での送信のためのフレームを生成するように構成された処理システム、前記フレームは、
他の装置によって検出可能な少なくとも１つのトレーニングフィールドを備える第１の情報、前記第１の情報は、１つまたは複数のサブチャネルのセット上で送信され、各サブチャネルは、前記少なくとも１つのチャネルのフル帯域幅の断片的な部分を備える、と、
チャネル推定値またはヘッダ情報のうちの少なくとも１つを備える第２の情報、前記第２の情報は、前記少なくとも１つのチャネルの前記フル帯域幅を使用して送信される、と
を備える、プリアンブル部分と、
前記少なくとも１つのチャネルの前記フル帯域幅を使用して送信されるデータ部分と
を有する、と、
送信のための前記フレームを送信するように構成された送信機と
を備える、アクセスポイント。
［Ｃ８１］
少なくとも１つのアンテナと、
他の装置によって検出可能な少なくとも１つのトレーニングフィールドを備える第１の情報、前記第１の情報は、１つまたは複数のサブチャネルのセット上で受信され、各サブチャネルは、前記少なくとも１つのチャネルのフル帯域幅の断片部分を備える、と、
チャネル推定値またはヘッダ情報のうちの少なくとも１つを備える第２の情報、前記第２の情報は、前記少なくとも１つのチャネルの前記フル帯域幅を使用して受信される、と
を備えるプリアンブル部分と、
前記少なくとも１つのチャネルの前記フル帯域幅を使用して送信されるデータ部分と
を有する、フレームを、少なくとも１つのチャネルを介して受信するように構成された受信機と、
前記第２の情報に、少なくとも部分的に、基づいてチャネル推定値を生成することと、前記チャネル推定値に基づいて前記フレームの前記データ部分のうちの少なくともいくつかを復号することとを行うように構成された処理システムと
を備える、ワイヤレス局。
［Ｃ８２］
少なくとも１つのアンテナと、
少なくとも１つのチャネル上での送信のためのフレームを生成するように構成された処理システム、前記フレームは、
デバイスの第１および第２のタイプによって処理するためのヘッダ情報、チャネル推定値、またはトレーニングフィールドのうちの少なくとも１つを備える第１の情報と、前記フレームのターゲットにされた受信者であるデバイスの第２のタイプのみによって処理するために意図された拡張ヘッダ情報とを備える、と、
データ部分と
を有する、と、
前記少なくとも１つのチャネルを介して送信のために前記フレームを送信するように構成された送信機と
を備える、アクセスポイント。
［Ｃ８３］
少なくとも１つのアンテナと、
少なくとも１つのチャネル上で送信されたフレームを受信するように構成された受信機、前記フレームは、
デバイスの第１および第２タイプのデバイスによって処理するための第１の情報と、前記フレームのターゲットにされた受信者であるデバイスの第２のタイプのみによって処理することを拡張ヘッダ情報と、
データ部分と
を有する、と、
前記第１の情報を処理することと、前記拡張ヘッダ情報に基づいて前記フレームの前記データ部分のいくつかを復号することとを行うように構成された処理システムと
を備える、ワイヤレス局。
【図１】
0006445161.tif 000002
【図２】
0006445161.tif 000003
【図３】
0006445161.tif 000004
【図４】
0006445161.tif 000005
【図４Ａ】
0006445161.tif 000006
【図５】
0006445161.tif 000007
【図５Ａ】
0006445161.tif 000008
【図６】
0006445161.tif 000009
【図７】
0006445161.tif 000010
【図８】
0006445161.tif 000011
【図８Ａ】
0006445161.tif 000012
【図９】
0006445161.tif 000013
【図９Ａ】
0006445161.tif 000014
【図１０】
0006445161.tif 000015
【図１１】
0006445161.tif 000016
【図１２】
0006445161.tif 000017
【図１３】
0006445161.tif 000018
【図１３Ａ】
0006445161.tif 000019
【図１４】
0006445161.tif 000020
【図１４Ａ】
0006445161.tif 000021
【図１５】
0006445161.tif 000022
【図１６】
0006445161.tif 000023
【図１７】
0006445161.tif 000024
【図１８】
0006445161.tif 000025